(57)【要約】【課題】ディジタル放送がされ、現在では多くの番組がアナログ放送とサイマルキャストで放送されている。しかし一部の番組ではアナログ放送とは異なる番組が放送され、今後はこの比率が拡大される予定である。同様に同一の放送局が複数の放送ネットワークで同一の番組を放送する場合もあり、一部は、異なる番組が放送されることもある。視聴者がこの異なる番組を認識するためには、複数の放送ネットワークの電子番組表を見比べる必要があり、多大な労力を要する。【解決手段】ユーザに選択された放送ネットワークの番組表データと他の放送ネットワークの番組表データを比較する装置で番組個別に割り振られた番組ID等を比較し、一方にしかない番組を検出し、選択された放送ネットワークの電子番組表にその番組を識別できるように提示、またはその一方にしかない番組の一覧表を提示する。【選択図】図１
2008147708.tif 000002
【特許請求の範囲】
【請求項１】
複数の放送ネットワークを受信する放送受信機において、全てまたは一部の放送波に含まれる番組のＥＰＧデータをデコードし、全てまたは一部の放送ネットワークで放送される番組の番組情報を取得し、メモリに記憶する。前記によってメモリに記憶した全てまたは一部の放送ネットワークの番組情報より同一放送局で同一時間帯に異なる番組が放送されると判断した番組の番組情報をメモリに記憶する。前記によってメモリに記憶した一部または全ての番組の番組情報を放送受信機の操作や状況に応じて画面上に表示するように構成されたことを特徴とする放送受信機。
【請求項２】
請求項１記載の放送受信機において、ユーザーの特定の操作により、メモリに記憶した同一放送局で同一時間帯に異なる番組が放送されると判断した番組の全ての番組を画面上に表示するように構成されたことを特徴とする放送受信機。
【請求項３】
請求項１記載の放送受信機において、ユーザーが選局した放送ネットワークの番組がメモリに記憶した他の放送ネットワークの同一放送局で同一時間帯に異なる番組が放送されると判断した番組の場合に、ユーザーが選局した放送ネットワークの番組と同一放送局で同一時間帯に放送される他の放送ネットワークの番組をメモリから検索し、その番組の番組情報を表示するように構成されたことを特徴とする放送受信機。
【請求項４】
請求項３記載の放送受信機において、番組情報が表示されている場合に、特定の操作にてより、その番組を選局するように構成されたことを特徴とする放送受信機。
【請求項５】
請求項１記載の放送受信機において、メモリに記憶した同一放送局で同一時間帯に異なる番組が放送されると判断した番組をユーザーの操作により選択された放送ネットワークの電子番組表に表示する場合、その他の番組と識別が容易に行えるようにマークを付加して表示するように構成されたことを特徴とする放送受信機。
【請求項６】
請求項５記載の放送受信機において、メモリに記憶した同一放送局で同一時間帯に異なる番組が放送されると判断した番組をユーザーの操作により選択された放送ネットワークの電子番組表で選択した場合に、その番組と同一放送局で同一時間帯で異なる他の放送ネットワークの番組をメモリから検索し、その番組の番組情報を表示するように構成されたことを特徴とする放送受信機。
【発明の詳細な説明】
【技術分野】
【０００１】
本発明は、複数の放送ネットワークを受信することができる放送受信機に関するものである。
【背景技術】
【０００２】
従来、複数の放送ネットワーク例えばディジタル放送とアナログ放送を受信している時にディジタル放送で同一番組が放送している場合において、ユーザーには極力ディジタル放送番組の視聴を促すことができる放送受信装置がある（例えば、特許文献１参照）。
【特許文献１】特開２００４−１７９７１８号公報
【発明の開示】
【発明が解決しようとする課題】
【０００３】
衛星や地上波を用いて複数の放送ネットワークで放送が行われている。また、複数の放送ネットワークで同一放送局が放送を行っている場合もあり、放送される番組も同一の番組を放送する場合がある。例えば、ディジタル放送やアナログ放送は、同じ番組をディジタル放送とアナログ放送の両方で放送するサイマルキャスト方式と呼ばれる放送方式がある。上述の通り、ディジタル放送とアナログ放送で異なる番組を放送する場合もあり、この異なる番組を放送する比率が今後拡大される予定である。この異なる番組が放送されることをユーザーが認識するためには、ディジタル放送の電子番組表とアナログ放送の電子番組表の両方を見比べる必要があり多大な労力を必要とし、または、異なる番組が放送されることに気がつかないという問題があった。
【０００４】
本発明は、上記の事情に鑑み、複数の放送ネットワーク例えば、ディジタル放送とアナログ放送で、異なる番組が放送される場合において、ディジタル放送の電子番組表とアナログ放送の電子番組表の両方を見比べることなく、ディジタル放送とアナログ放送で異なる番組が放送されることをユーザーが認識することが可能な複数の放送ネットワークで異なる放送番組の提示を提供することを目的とする。
【課題を解決するための手段】
【０００５】
本発明は、上記の課題を解決するために、複数の放送ネットワークを受信する放送受信機において、放送波に含まれる番組のＥＰＧデータをデコードし、全てまたは一部の放送ネットワークで放送される番組の番組情報を取得し、メモリに記憶する。前記によってメモリに記憶した全てまたは一部の放送ネットワークの番組情報より同一放送局で同一時間帯に異なる番組が放送されると判断した番組の番組情報をメモリに記憶する。前記によってメモリに記憶した一部または全ての番組の番組情報を、放送受信機の操作や状況に応じて画面上に表示するように構成している。
【０００６】
また、ユーザーが選局した放送ネットワークの番組がメモリに記憶した他の放送ネットワークの同一放送局で同一時間帯に異なる番組が放送されると判断した番組の場合に、ユーザーが選局した放送ネットワークの番組と同一放送局で同一時間帯に放送される他の放送ネットワークの番組をメモリから検索し、その番組の番組情報を表示するように構成している。
【０００７】
また、前記番組情報が表示されている場合に、特定の操作でその番組を選局するように構成している。
【０００８】
また、メモリに記憶した同一放送局で同一時間帯に異なる番組が放送されると判断した番組をユーザーの操作により選択された放送ネットワークの電子番組表に表示する場合、その他の番組と識別が容易に行えるようにマークを付加して表示するように構成している。
【０００９】
また、前記電子番組表が表示されている場合に、メモリに記憶した同一放送局で同一時間帯に異なる番組が放送されると判断した番組をユーザーの操作により選択された放送ネットワークの電子番組表で選択した場合に、その番組と同一放送局で同一時間帯で異なる他の放送ネットワークの番組をメモリから検索し、その番組の番組情報を表示するように構成している。
【発明の効果】
【００１０】
本発明により、複数の放送ネットワークで異なる番組が放送される場合、例えば、
ディジタル放送とアナログ放送で異なる番組が放送される場合において、ディジタル放送の電子番組表とアナログ放送の電子番組表の両方を見比べることなくディジタル放送とアナログ放送で異なる番組が放送されることをユーザーが認識することが可能となる。
また、ディジタル放送またはアナログ放送を視聴中にその番組と同一放送局で同一時間帯に異なる番組がアナログ放送またはディジタル放送で放送されていることをユーザーが認識することが可能となる。
【００１１】
また、ディジタル放送またはアナログ放送を視聴中にその番組と同一放送局で同一時間帯に異なる番組がアナログ放送またはディジタル放送で放送されている場合にその番組を簡単に選局することが可能となる。
また、ディジタル放送またはアナログ放送の電子番組表を表示している場合に、ディジタル放送の電子番組表とアナログ放送の電子番組表の両方を見比べることなくディジタル放送とアナログ放送で異なる番組が放送されることをユーザーが認識することが可能となる。
【００１２】
また、ディジタル放送またはアナログ放送の電子番組表で選択した番組と同一放送局で同一時間帯で放送されるアナログ放送またはディジタル放送の番組の番組情報を表示することが可能となる。
【発明を実施するための最良の形態】
【００１３】
（実施の形態１）
図１は、本発明の実施の形態１に係る複数の放送ネットワークで異なる放送番組の提示装置を、ディジタル放送とアナログ放送を受信する構成で示したブロック図である。
【００１４】
アンテナ１０１は屋外において所定の方向に配置されており、地上波放送信号を受信するＵＨＦ・ＶＨＦアンテナである。このアンテナ１０１はディジタルチューナー１０２Ａとアナログチューナー１０２Ｂに受信したＲＦ信号を与える。
ディジタルチューナー１０２Ａは、アンテナ１０１からのＲＦ（高周波信号）信号の特定周波数を選局して得られるトランスポート・ストリームをディジタルＥＰＧデコーダ１０３Ａに与える。また、ＥＰＧデータを受信するためプリセットされているチャンネルの周波数を定期的に選局するようにしている。
アナログチューナー１０２Ｂは、アンテナ１０１からのＲＦ（高周波信号）信号の特定周波数を選局し得られる映像信号をアナログＥＰＧデコーダ１０３Ｂに与える。なお、ＥＰＧデータを受信するためＥＰＧデータが送信されている特定のチャンネルを選局するようしている。
【００１５】
ディジタルＥＰＧデコーダ１０３Ａは、ディジタルチューナー１０２Ａから与えられるトランスポート・ストリームをＭＰＥＧ２のＰＳＩ／ＳＩ（Ｐｒｏｇｒａｍ  Ｓｐｅｃｉｆｉｃ  Ｉｎｆｏｍａｔｉｏｎ／Ｓｅｒｖｉｃｅ  Ｉｎｆｏｍａｔｉｏｎ）に分離しディジタル放送番組情報取得手段１０４Ａに与える。
【００１６】
アナログＥＰＧデコーダ１０３Ｂは、アナログチューナー１０２Ｂから与えられる映像信号の垂直帰線期間に挿入されているＥＰＧデータ（例えばＧガイドやＡＤＡＭＳ−ＥＰＧ）を取り出しアナログ放送番組情報取得手段１０４Ｂに与える。
ディジタル放送番組情報取得手段１０４Ａは、ディジタルＥＰＧデコーダ１０３Ａで分離されたＰＳＩ／ＳＩから番組情報を抽出しディジタル放送番組情報解釈手段１０５Ａに与える。
【００１７】
アナログ放送番組情報取得手段１０４Ｂは、アナログＥＰＧデコーダ１０３Ａで抽出されたＥＰＧデータから番組情報を抽出しアナログ放送番組情報解釈手段１０５Ｂに与える。
【００１８】
ディジタル放送番組情報解釈手段１０５Ａは、ディジタル放送番組情報取得手段１０４Ａから与えられた番組情報を解釈し、番組タイトルや番組ＩＤ、開始時刻などの情報に加工しメモリ１０６にディジタル番組データ１０７Ａ形式のファイルとして記憶する。このファイルは放送局単位で作成し、開始時刻順などでソートし検索が容易な構成とする。
【００１９】
アナログ放送番組情報解釈手段１０５Ｂは、アナログ放送番組情報取得手段１０４Ｂから与えられた番組情報を解釈し、番組タイトルや番組ＩＤ、開始時刻などの情報に加工しメモリ１０６にアナログ番組データ１０７Ｂ形式のファイルとして記憶する。このファイルは放送局単位で作成し、開始時刻順などでソートし検索が容易な構成とする。
番組データ比較・異なる番組検出手段１０８は、メモリ１０６に記憶したディジタル放送番組データ１０７Ａとアナログ番組データ１０７Ｂから同一放送局同士で開始時刻が同一時刻の番組情報を検索し双方の番組ＩＤまたは番組タイトルを比較する。番組ＩＤを比較する場合は、ＥＰＧデータ送出側でディジタル放送とアナログ放送とで同一番組については同一の番組ＩＤを付与するように構成する必要がある。また、番組タイトルを比較する場合は、ＥＰＧデータ送出側でディジタル放送とアナログ放送とで同一番組については同一の番組タイトルを付与するように構成する必要がある。番組ＩＤまたは番組タイトルを比較し異なると判断された番組の番組情報とを異なる番組リスト構築手段１０９に与える。
【００２０】
異なる番組リスト構築手段１０９は、番組データ比較・異なる番組検出手段１０８から与えられた番組情報から、放送局とその放送がディジタル放送かアナログ放送かの情報と番組ＩＤと開始時刻をメモリ１０６に異なる番組リスト１１０形式のファイルとして記憶する。このファイルは放送局単位で作成し、開始時刻順などでソートし検索が容易な構成とする。
【００２１】
リモコン１１１は、当該放送受信機を操作するための各種キーを備え、操作されたキーに対応したリモコン信号を発光部から送出する。
リモコン受光部１１２は、リモコン１１１から送出されたリモコン信号を受信し、これを電気信号に変換し、システム制御部１１３に与える。
システム制御部１１３は、リモコン受光部１１２から与えられる電気信号に変換されたリモコン信号や当該放送受信機の各種内部状態をユーザーインターフェース部１１４に与える。
【００２２】
ユーザーインターフェース部１１４は、システム制御部１１３から与えられたリモコン信号や当該放送受信機の各種内部状態からユーザーへ提示する情報を判定後その画面を構成し、グラフィック処理部１１５に与える。
グラフィック処理部１１５は、ユーザーインターフェース部１１４で構成された画面を映像信号に処理し、画面１１６へ与える。
画面１１６は、ＣＲＴや液晶パネル、ＰＤＰパネルなどで、グラフィック処理部１１５で処理された映像信号を表示する。
【００２３】
図２は、ユーザーインターフェース部１１４で構成するユーザーへ提示する情報（画面）が、例えば、ユーザーの操作によりアナログ放送とディジタル放送で異なる番組の一覧を表示するように操作された場合の画面の一例である。この場合、ユーザーインターフェース部１１４では、メモリ１０６で記憶された異なる番組リスト１１０に記載されている放送局情報とディジタル放送またはアナログ放送の情報と番組ＩＤから、該当する番組をメモリ１０６に記憶しているディジタル放送番組データ１０７Ａまたはアナログ放送番組データ１０７Ｂから検索しその番組情報から図２の画面を構成する。
図３は、ユーザーインターフェース部１１４で構成するユーザーへ提示する情報（画面）を、例えば、ユーザーがディジタル放送の選局操作を行った場合の画面の一例である。この画面は、ユーザーが選局したディジタル放送で放送している番組タイトルなどの番組情報と、同一放送局でアナログ放送では異なる番組を放送している場合にその番組情報を表示するようにしている。この場合、ユーザーインターフェース部１１４では、メモリ１０６で記憶された異なる番組リスト１１０に記載されている放送局情報とディジタル放送またはアナログ放送の情報と番組ＩＤから、ユーザーが選局操作を行った時刻に放送している番組の番組ＩＤが含まれているかを検索し、該当する番組ＩＤがある場合には、その番組と同一時刻に放送しているアナログ放送の番組情報をメモリ１０６で記憶しているアナログ放送番組データ１０７Ｂから検索し、その番組情報の一部から図３の画面を構成する。
【００２４】
また、図３の画面を表示している期間にユーザーが特定の操作（例えばリモコンの決定キーの操作）を行った場合には、システム制御部１１３ではユーザーインターフェース部１１４で構成した図２で表示しているアナログ放送の放送局を選局する。
図４は、ユーザーインターフェース部１１４で構成するユーザーへ提示する情報（画面）が、例えば、ユーザーがディジタル放送の電子番組表を表示する操作を行った場合の画面の一例である。この画面は、ディジタル放送の電子番組表で表示している番組が、メモリ１０６で記憶された異なる番組リスト１１０に記載されている場合に、電子番組表上のその番組の表示領域に例えば★マークで表示するようにしている。この場合、ユーザーインターフェース部１１４では、ディジタル放送の電子番組表を表示するため、表示対象となっている放送局の番組情報をメモリ１０６に記憶されたディジタル放送番組データ１０７Ａから取得している。番組情報を取得した番組の番組ＩＤがメモリ１０６に記憶された該当する異なる番組リスト１１０に記載されている場合は、その番組の表示領域に★マークを表示するように図４の画面のように構成する。
【００２５】
図５は、ユーザーインターフェース部１１４で構成するユーザーへ提示する情報（画面）が、例えば、ユーザーがディジタル放送の電子番組表を表示し、電子番組表上で番組を選択するためのフォーカスを移動した場合の画面の一例である。この画面は、選択された番組が、メモリ１０６で記憶された異なる番組リスト１１０に記載されている場合に、電子番組表上のその番組の表示領域付近にアナログ放送で別の番組が放送される旨のメッセージとその番組情報を表示するようにしている。この場合、ユーザーインターフェース部１１４では、ディジタル放送の電子番組表を表示するため、表示対象となっている放送局の番組情報をメモリ１０６に記憶されたディジタル放送番組データ１０７Ａから取得している。取得した番組情報の中の番組ＩＤがメモリ１０６に記憶された該当する異なる番組リスト１１０に記載されている場合は、その番組と同一時刻に放送しているアナログ放送の番組情報をメモリ１０６で記憶しているアナログ放送番組データ１０７Ｂから検索し、その番組情報の一部から図５の画面を構成する。
【００２６】
なお、この実施の形態では、ディジタル放送とアナログ放送を受信する構成としているが、本発明では、ディジタル放送とアナログ放送に限定するものではない。
また、ディジタル放送のＥＰＧデータは、ディジタルチューナーで各放送局を選局しそのＭＰＥＧ２のＰＳＩ／ＳＩから取得しているが、他のＥＰＧデータサービスを利用して取得してもよい。（例えば、ＢＳデジタルのデータ放送を利用したＥＰＧデータサービス）
また、アナログ放送についても同様に、アナログチューナーでＥＰＧデータが送信されている特定のチャンネルを選局して映像信号の垂直帰線期間に挿入されているＥＰＧデータを取得しているが、他のＥＰＧデータサービスを利用して取得してもよい。（例えば、ＢＳデジタルのデータ放送を利用したＥＰＧデータサービス）
【産業上の利用可能性】
【００２７】
本発明の複数の放送ネットワークで異なる放送番組の提示装置は、複数の放送ネットワークで異なる番組が放送される場合、例えば、ディジタル放送とアナログ放送で異なる番組が放送される場合において、ディジタル放送の電子番組表とアナログ放送の電子番組表の両方を見比べることなくディジタル放送とアナログ放送で異なる番組が放送されることをユーザーが認識することが可能な複数の放送ネットワークで異なる放送番組の提示装置を提供することが可能となり、テレビ受信機やビデオデッキなどの放送受信機で有用である。
【図面の簡単な説明】
【００２８】
【図１】この発明の実施形態のディジタル放送とアナログ放送で異なる放送番組の提示装置の構成を示すブロック図
【図２】ユーザーの操作によりアナログ放送とディジタル放送で異なる番組の一覧を表示するように操作された場合の画面を示す図
【図３】ユーザーがディジタル放送の選局操作を行った場合の画面を示す図
【図４】ユーザーがディジタル放送の番組表を表示する操作を行った場合の画面を示す図
【図５】番組表上で番組を選択するためのフォーカスを移動した場合の画面を示す図
【符号の説明】
【００２９】
１０１    アンテナ
１０２Ａ  ディジタルチューナー
１０２Ｂ  アナログチューナー
１０３Ａ  ディジタルＥＰＧデコーダ
１０３Ｂ  アナログＥＰＧデコーダ
１０４Ａ  ディジタル放送番組情報取得手段
１０４Ｂ  アナログ放送番組情報取得手段
１０５Ａ  ディジタル放送番組情報解釈手段
１０５Ｂ  アナログ放送番組情報解釈手段
１０６    メモリ
１０７Ａ  ディジタル放送番組データ
１０７Ｂ  アナログ放送番組データ
１０８    番組データ比較・異なる番組検出手段
１０９    異なる番組リスト構築手段
１１０    異なる番組リスト
１１１    リモコン送信機
１１２    リモコン受信部
１１３    システム制御部
１１４    ユーザーインターフェース部
１１５    グラフィック処理部
１１６    画面
【図１】
2008147708.tif 000003
【図２】
2008147708.tif 000004
【図３】
2008147708.tif 000005
【図４】
2008147708.tif 000006
【図５】
2008147708.tif 000007